(57)【要約】  本発明に係る無線基地局装置１０は、移動局０１によってランダムアクセスプリアンブルを用いて送信されたランダムアクセス信号に応じて移動局０１に対して上りリソースを割り当てる上りリソース割り当て部１３と、かかる上りリソースをランダムアクセス応答信号を用いて移動局０１に対して通知するランダムアクセス応答信号送信部１４と、移動局０１から上りリソースを用いて送信された上り信号に対して当該上りリソースに対応する上りスクランブリング系列を用いてデスクラブリング処理を行う上りスクランブル解読部１６とを具備する。
2009025236.tif 000002
【特許請求の範囲】
【請求項１】
無線基地局装置と移動局との間で、通信を開始又は再開する前に、ランダムアクセス手順を行う移動通信方法であって、
前記移動局が、前記無線基地局装置に対して、複数のランダムアクセスプリアンブルの中から選択したランダムアクセスプリアンブルを送信する工程と、
前記無線基地局装置が、受信した前記ランダムアクセスプリアンブルに応じて、前記移動局に対して、上りリソースを割り当てる工程と、
前記無線基地局装置が、割り当てた前記上りリソースを、ランダムアクセス応答信号を用いて前記移動局に対して通知する工程と、
前記移動局が、前記ランダムアクセス応答信号によって通知された前記上りリソースに対応する上りスクランブリング系列を用いたスクラブリング処理を行った後、該上りリソースを用いて上り信号を送信する工程と、
前記無線基地局装置が、前記上りリソースを用いて送信された前記上り信号に対して、該上りリソースに対応する上りスクランブリング系列を用いてデスクラブリング処理を行う工程とを有することを特徴とする移動通信方法。
【請求項２】
無線基地局装置と移動局との間で、通信を開始又は再開する前に、ランダムアクセス手順を行う移動通信方法で用いられる無線基地局装置であって、
前記移動局によって送信されたランダムアクセスプリアンブルに応じて、該移動局に対して、上りリソースを割り当てるように構成されている上りリソース割り当て部と、
前記上りリソース割り当て部によって割り当てられた前記上りリソースを、ランダムアクセス応答信号を用いて前記移動局に対して通知するように構成されているランダムアクセス応答信号送信部と、
前記移動局から前記上りリソースを用いて送信された上り信号に対して、該上りリソースに対応する上りスクランブリング系列を用いてデスクラブリング処理を行うように構成されている上りスクランブル解読部とを具備することを特徴とする無線基地局装置。
【請求項３】
前記ランダムアクセス応答信号送信部は、前記移動局に対して、前記上りリソースと共に、該上りリソースに対応する上りスクランブリング系列を通知するように構成されていることを特徴とする請求項２に記載の無線基地局装置。
【請求項４】
前記上りリソースと前記上りスクランブリング系列とを関連付けて記憶するように構成されている上りスクランブリング系列管理部を具備し、
前記上りスクランブル解読部は、前記上りスクランブリング系列管理部を参照して、前記上りリソースに対応する上りスクランブリング系列を用いてデスクラブリング処理を行うように構成されていることを特徴とする請求項２に記載の無線基地局装置。
【請求項５】
前記ランダムアクセスプリアンブルと前記上りスクランブリング系列とを関連付けて記憶するように構成されている上りスクランブリング系列管理部を具備し、
前記上りスクランブル解読部は、前記上りスクランブリング系列管理部を参照して、前記上りリソースを割り当てる契機になったランダムアクセスプリアンブルに対応する上りスクランブリング系列を用いてデスクラブリング処理を行うように構成されていることを特徴とする請求項２に記載の無線基地局装置。
【請求項６】
前記ランダムアクセス応答信号と前記上りスクランブリング系列とを関連付けて記憶するように構成されている上りスクランブリング系列管理部を具備し、
前記上りスクランブル解読部は、前記上りスクランブリング系列管理部を参照して、前記上りリソースを通知したランダムアクセス応答信号に対応する上りスクランブリング系列を用いてデスクラブリング処理を行うように構成されていることを特徴とする請求項２に記載の無線基地局装置。
【請求項７】
前記ランダムアクセス応答信号におけるランダムアクセスプリアンブル識別子の挿入順と前記上りスクランブリング系列とを関連付けて記憶するように構成されている上りスクランブリング系列管理部を具備し、
前記上りスクランブル解読部は、前記上りスクランブリング系列管理部を参照して、前記上りリソースを通知したランダムアクセス応答信号に挿入したランダムアクセスプリアンブル識別子の位置に対応する上りスクランブリング系列を用いてデスクラブリング処理を行うように構成されていることを特徴とする請求項２に記載の無線基地局装置。
【請求項８】
無線基地局装置と移動局との間で、通信を開始又は再開する前に、ランダムアクセス手順を行う移動通信方法で用いられる移動局であって、
前記無線基地局装置に対して、複数のランダムアクセスプリアンブルの中から選択したランダムアクセスプリアンブルを送信するように構成されているランダムアクセスプリアンブル送信部と、
前記無線基地局装置から、上りリソースを通知するランダムアクセス応答信号を受信するように構成されているランダムアクセス応答信号受信部と、
前記ランダムアクセス応答信号によって通知された前記上りリソースに対応する上りスクランブリング系列を用いたスクラブリング処理を行った後、該上りリソースを用いて上り信号を送信するように構成されている上り信号送信部とを具備することを特徴とする移動局。
【請求項９】
前記ランダムアクセス応答信号受信部は、前記ランダムアクセス応答信号に基づいて、前記上りリソースと共に、前記上りスクランブリング系列を取得するように構成されていることを特徴とする請求項８に記載の移動局。
【請求項１０】
前記上りリソースと前記上りスクランブリング系列とを関連付けて記憶するように構成されている上りスクランブリング系列管理部を具備し、
前記上り信号送信部は、前記上りスクランブリング系列管理部を参照して、前記無線基地局装置によって割り当てられた前記上りリソースに対応する上りスクランブリング系列を用いてスクラブリング処理を行うように構成されていることを特徴とする請求項８に記載の移動局。
【請求項１１】
前記ランダムアクセスプリアンブルと前記上りスクランブリング系列とを関連付けて記憶するように構成されている上りスクランブリング系列管理部を具備し、
前記上り信号送信部は、前記上りスクランブリング系列管理部を参照して、前記上りリソースの取得に用いた前記ランダムアクセスプリアンブルに対応する上りスクランブリング系列を用いてスクラブリング処理を行うように構成されていることを特徴とする請求項８に記載の移動局。
【請求項１２】
前記ランダムアクセス応答信号と前記上りスクランブリング系列とを関連付けて記憶するように構成されている上りスクランブリング系列管理部を具備し、
前記上り信号送信部は、前記上りスクランブリング系列管理部を参照して、前記上りリソースを通知した前記ランダムアクセス応答信号に対応する上りスクランブリング系列を用いてデスクラブリング処理を行うように構成されていることを特徴とする請求項８に記載の移動局。
【請求項１３】
前記ランダムアクセス応答信号におけるランダムアクセスプリアンブル識別子の挿入順と前記上りスクランブリング系列とを関連付けて記憶するように構成されている上りスクランブリング系列管理部を具備し、
前記上り信号送信部は、前記上りスクランブリング系列管理部を参照して、前記上りリソースを通知した前記ランダムアクセス応答信号に挿入されている前記ランダムアクセスプリアンブル識別子の位置に対応する上りスクランブリング系列を用いてデスクラブリング処理を行うように構成されていることを特徴とする請求項８に記載の移動局。
【請求項１４】
無線基地局装置と移動局との間で、通信を開始又は再開する前に、ランダムアクセス手順を行う移動通信方法であって、
前記移動局が、前記無線基地局装置に対して、複数のランダムアクセスプリアンブルの中から選択したランダムアクセスプリアンブルを送信する工程と、
前記無線基地局装置が、受信した前記ランダムアクセスプリアンブルに応じて、前記移動局に対して、上りリソースを割り当てる工程と、
前記無線基地局装置が、割り当てた前記上りリソースを、ランダムアクセス応答信号を用いて前記移動局に対して通知する工程と、
前記移動局が、前記上りリソースを通知した前記ランダムアクセス応答信号に対応する上りスクランブリング系列を用いたスクラブリング処理を行った後、該上りリソースを用いて上り信号を送信する工程と、
前記無線基地局装置が、前記上りリソースを用いて送信された前記上り信号に対して、該上りリソースを通知したランダムアクセス応答信号に対応する上りスクランブリング系列を用いてデスクラブリング処理を行う工程とを有することを特徴とする移動通信方法。
【請求項１５】
無線基地局装置と移動局との間で、通信を開始又は再開する前に、ランダムアクセス手順を行う移動通信方法で用いられる無線基地局装置であって、
前記移動局によって送信されたランダムアクセスプリアンブルに応じて、該移動局に対して、上りリソースを割り当てるように構成されている上りリソース割り当て部と、
前記上りリソース割り当て部によって割り当てられた前記上りリソースを、ランダムアクセス応答信号を用いて前記移動局に対して通知するように構成されているランダムアクセス応答信号送信部と、
前記移動局から前記上りリソースを用いて送信された上り信号に対して、該上りリソースを通知した前記ランダムアクセス応答信号に対応する上りスクランブリング系列を用いてデスクラブリング処理を行うように構成されている上りスクランブル解読部とを具備することを特徴とする無線基地局装置。
【請求項１６】
無線基地局装置と移動局との間で、通信を開始又は再開する前に、ランダムアクセス手順を行う移動通信方法で用いられる移動局であって、
前記無線基地局装置に対して、複数のランダムアクセスプリアンブルの中から選択したランダムアクセスプリアンブルを送信するように構成されているランダムアクセスプリアンブル送信部と、
前記無線基地局装置から、上りリソースを通知するランダムアクセス応答信号を受信するように構成されているランダムアクセス応答信号受信部と、
前記上りリソースを通知した前記ランダムアクセス応答信号に対応する上りスクランブリング系列を用いたスクラブリング処理を行った後、該上りリソースを用いて上り信号を送信するように構成されている上り信号送信部とを具備することを特徴とする移動局。
【発明の詳細な説明】
【技術分野】
【０００１】
本発明は、移動通信方法、無線基地局装置及び移動局に関する。
【背景技術】
【０００２】
Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ-ＵＴＲＡＮ）として検討されている移動通信システムは、図２に示すように、移動局００と、無線基地局装置１０とを具備している。【０００３】
かかる移動通信システムでは、以下の場合に、ランダムアクセス信号（競合チャネル信号：Ｒａｎｄｏｍ  ａｃｃｅｓｓ  ｐｒｅａｍｂｌｅ）を用いて、図１に示すような競合型のランダムアクセス手順を行うように構成されている。【０００４】
・  移動局００が、無線基地局装置１０との間で通信を開始する場合
・  移動局００が、ハンドオーバ先セルとの間で通信を開始する場合
・  移動局００が、接続中セルとの間で通信を再開する場合
ここで、図１を参照して、かかるランダムアクセス手順について説明する（非特許文献１参照）。【０００５】
図１に示すように、ステップＳ１０１において、移動局ＵＥは、複数のランダムアクセスプリアンブル識別子（Ｒａｎｄｏｍ  ａｃｃｅｓｓ  ｐｒｅａｍｂｌｅ  ｉｄｅｎｔｉｆｉｅｒ）の中から、１つのランダムアクセスプリアンブル識別子を選択し、選択したランダムアクセスプリアンブル識別子によって識別されるランダムアクセスプリアンブル（ＲＡ-ｐｒｅａｍｂｌｅ）を、無線基地局装置ｅＮＢに対して送信する。【０００６】
ステップＳ１０２において、１つ又は複数の移動局ＵＥによって送信された１つ又は複数のランダムアクセスプリアンブルを検出した無線基地局装置ｅＮＢは、１つ又は複数の移動局ＵＥに対して、ランダムアクセス応答信号（競合チャネル応答信号：Ｒａｎｄｏｍ  Ａｃｃｅｓｓ  Ｒｅａｐｏｎｓｅ）を識別するためのランダムアクセス応答信号識別子（ＲＡ-ＲＮＴＩ：Ｒａｎｄｏｍ  ａｃｃｅｓｓ  ｒａｄｉｏ  ｎｅｔｗｏｒｋ  ｔｅｍｐｏｒａｌ  ｉｄｅｎｔｉｆｉｅｒ）と共に、少なくとも次の情報要素を含むランダムアクセス応答信号を送信する。【０００７】
・  ＲＡ-ｐｒｅａｍｂｌｅ識別子（ランダムアクセスプリアンブル識別子）
・  タイミング調整情報（Ｔｉｍｉｎｇ  ａｌｉｇｎｍｅｎｔ  ｉｎｆｏｒｍａｔｉｏｎ）
・  上り割り当てリソース（Ｉｎｔｉｔｉａｌ  ＵＬ  ｇｒａｎｔ）
・  一時的移動局識別子（Ｔｅｍｐｏｒａｒｙ  Ｃ-ＲＮＴＩ：ｃｅｌｌ  ｓｐｅｃｉｆｉｃ  ｒａｄｉｏ  ｎｅｔｗｏｒｋ  ｔｅｍｐｏｒａｌ  ｉｄｅｎｔｉｆｉｅｒ）
ステップＳ１０３において、ランダムアクセス応答信号を受信した移動局ＵＥは、無線基地局装置１０によって割り当てられ指示された上りリソースを用いて、上り信号を送信する。【０００８】
ステップＳ１０４において、ランダムアクセス信号（Ｒａｎｄｏｍ  ａｃｃｅｓｓ  ｐｒｅａｍｂｌｅ）の受信時に、複数の移動局ＵＥの間で衝突が発生している可能性があるため、移動局ＵＥからの上り信号を受信した無線基地局装置ｅＮＢは、この衝突を解決するための衝突解決信号（Ｃｏｎｔｅｎｔｉｏｎ  ｒｅｓｏｌｕｔｉｏｎ）を送信する。【０００９】
一方、上り信号を送信する時に、上りスクランブリング系列が設定されている移動局ＵＥは、移動局個別のスクランブリング系列（ＵＥ  ｓｐｅｃｉｆｉｃ  ｓｃｒａｍｂｌｉｎｇ  ｓｅｑｕｅｎｃｅ）を用いたスクランブル処理を行った後、上り信号を送信する（非特許文献２参照）。【００１０】
しかしながら、移動局ＵＥが、以下のいずれかを目的として、ランダムアクセス手順を起動する場合、無線基地局装置ｅＮＢが、図１に示すステップＳ１０３で上り信号を送信する移動局を特定することができないため、移動局ＵＥは、ステップＳ１０３における上り信号にスクランブルをかけることができないという問題点があった。【００１１】
・  移動局００が、無線基地局装置１０との間で通信を開始すること
・  移動局００が、ハンドオーバ先セルとの間で通信を開始すること
・  移動局００が、接続中セルとの間で通信を再開すること
また、移動局ＵＥが、ステップＳ１０３において、スクランブル処理を行うことなく上り信号を送信する場合は、周辺セルへの上り干渉が増大するという問題点があった。
【非特許文献１】3GPP TS 36.300 Evolved universal terrestrial Radio access (E-UTRA) and E-UTRAN Overall description; Stage 2 (Release 8) V8.1.0
【非特許文献２】3GPP TS 36.211 Physical channels and modulation (Release 8) V1.0.3
【発明の開示】
【００１２】
そこで、本発明は、上述の課題に鑑みてなされたものであり、無線基地局装置が、移動局を特定する前であっても、移動局は、上り信号に対してスクランブル処理を施して送信することを可能とすることで、周辺セルへの上り干渉を低減する移動通信方法、無線基地局装置及び移動局を提供することを目的とする。
【００１３】
本発明の第１の特徴は、無線基地局装置と移動局との間で、通信を開始又は再開する前に、ランダムアクセス手順を行う移動通信方法であって、前記移動局が、前記無線基地局装置に対して、複数のランダムアクセスプリアンブルの中から選択したランダムアクセスプリアンブルを送信する工程と、前記無線基地局装置が、受信した前記ランダムアクセスリアンブルに応じて、前記移動局に対して、上りリソースを割り当てる工程と、前記無線基地局装置が、割り当てた前記上りリソースを、ランダムアクセス応答信号を用いて前記移動局に対して通知する工程と、前記移動局が、前記ランダムアクセス応答信号によって通知された前記上りリソースに対応する上りスクランブリング系列を用いたスクラブリング処理を行った後、該上りリソースを用いて上り信号を送信する工程と、前記無線基地局装置が、前記上りリソースを用いて送信された前記上り信号に対して、該上りリソースに対応する上りスクランブリング系列を用いてデスクラブリング処理を行う工程とを有することを要旨とする。
【００１４】
本発明の第２の特徴は、無線基地局装置と移動局との間で、通信を開始又は再開する前に、ランダムアクセス手順を行う移動通信方法で用いられる無線基地局装置であって、前記移動局によって送信されたランダムアクセスプリアンブルに応じて、該移動局に対して、上りリソースを割り当てるように構成されている上りリソース割り当て部と、前記上りリソース割り当て部によって割り当てられた前記上りリソースを、ランダムアクセス応答信号を用いて前記移動局に対して通知するように構成されているランダムアクセス応答信号送信部と、前記移動局から前記上りリソースを用いて送信された上り信号に対して、該上りリソースに対応する上りスクランブリング系列を用いてデスクラブリング処理を行うように構成されている上りスクランブル解読部とを具備することを要旨とする。
【００１５】
本発明の第３の特徴は、無線基地局装置と移動局との間で、通信を開始又は再開する前に、ランダムアクセス手順を行う移動通信方法で用いられる移動局であって、前記無線基地局装置に対して、選択したランダムアクセスプリアンブルを送信するように構成されているランダムアクセスプリアンブル送信部と、前記無線基地局装置から、上りリソースを通知するランダムアクセス応答信号を受信するように構成されているランダムアクセス応答信号受信部と、前記ランダムアクセス応答信号によって通知された前記上りリソースに対応する上りスクランブリング系列を用いたスクラブリング処理を行った後、該上りリソースを用いて上り信号を送信するように構成されている上り信号送信部とを具備することを要旨とする。
【００１６】
本発明の第４の特徴は、無線基地局装置と移動局との間で、通信を開始又は再開する前に、ランダムアクセス手順を行う移動通信方法であって、前記移動局が、前記無線基地局装置に対して、複数のランダムアクセスプリアンブルの中から選択したランダムアクセスプリアンブルを送信する工程と、前記無線基地局装置が、受信した前記ランダムアクセスプリアンブルに応じて、前記移動局に対して、上りリソースを割り当てる工程と、前記無線基地局装置が、割り当てた前記上りリソースを、ランダムアクセス応答信号を用いて前記移動局に対して通知する工程と、前記移動局が、前記上りリソースを通知した前記ランダムアクセス応答信号に対応する上りスクランブリング系列を用いたスクラブリング処理を行った後、該上りリソースを用いて上り信号を送信する工程と、前記無線基地局装置が、前記上りリソースを用いて送信された前記上り信号に対して、該上りリソースを通知したランダムアクセス応答信号に対応する上りスクランブリング系列を用いてデスクラブリング処理を行う工程とを有することを要旨とする。
【００１７】
本発明の第５の特徴は、無線基地局装置と移動局との間で、通信を開始又は再開する前に、ランダムアクセス手順を行う移動通信方法で用いられる無線基地局装置であって、前記移動局によって送信されたランダムアクセスプリアンブルに応じて、該移動局に対して、上りリソースを割り当てるように構成されている上りリソース割り当て部と、前記上りリソース割り当て部によって割り当てられた前記上りリソースを、ランダムアクセス応答信号を用いて前記移動局に対して通知するように構成されているランダムアクセス応答信号送信部と、前記移動局から前記上りリソースを用いて送信された上り信号に対して、該上りリソースを通知した前記ランダムアクセス応答信号に対応する上りスクランブリング系列を用いてデスクラブリング処理を行うように構成されている上りスクランブル解読部とを具備することを要旨とする。
【００１８】
本発明の第６の特徴は、無線基地局装置と移動局との間で、通信を開始又は再開する前に、ランダムアクセス手順を行う移動通信方法で用いられる移動局であって、前記無線基地局装置に対して、複数のランダムアクセスプリアンブルの中から選択したランダムアクセスプリアンブルを送信するように構成されているランダムアクセスプリアンブル送信部と、前記無線基地局装置から、上りリソースを通知するランダムアクセス応答信号を受信するように構成されているランダムアクセス応答信号受信部と、前記上りリソースを通知した前記ランダムアクセス応答信号に対応する上りスクランブリング系列を用いたスクラブリング処理を行った後、該上りリソースを用いて上り信号を送信するように構成されている上り信号送信部とを具備することを特徴とする。
【００１９】
以上説明したように、本発明によれば、無線基地局装置が、移動局を特定する前であっても、移動局は、上り信号に対してスクランブル処理を施して送信することを可能とすることで、周辺セルへの上り干渉を低減する移動通信方法、無線基地局装置及び移動局を提供することができる。
【図面の簡単な説明】
【００２０】
【図１】図１は、一般的な移動通信システムの動作を説明するためのシーケンス図である。
【図２】図２は、一般的な移動通信システム及び本発明の第１の実施形態に係る移動通信システムの全体構成図である。
【図３】図３は、本発明の第１の実施形態に係る無線基地局装置の機能ブロック図である。
【図４】図４は、本発明の第１の実施形態に係る無線基地局装置によって管理される上りリソースと上りスクランブリング系列との対応表の一例を示す図である。
【図５】図５は、本発明の第１の実施形態に係る無線基地局装置によって管理されるランダムアクセスプリアンブル識別子と上りスクランブリング系列との対応表の一例を示す図である。
【図６】図６は、本発明の第１の実施形態に係る無線基地局装置による上りスクランブリング系列の管理方法の一例を示す図である。
【図７】図７は、本発明の第１の実施形態に係る無線基地局装置によって管理されるランダムアクセス応答信号と上りスクランブリング系列との対応表の一例を示す図である。
【図８】図８は、本発明の第１の実施形態に係る無線基地局装置の機能ブロック図である。
【発明を実施するための最良の形態】
【００２１】
（本発明の第１の実施形態に係る移動通信システム）
図２乃至図８を参照して、本発明の第１の実施形態に係る移動通信システムについて説明する。なお、本実施形態を説明するための全図において、同一機能を有するものに対しては同一符号を付与し、繰り返しの説明は省略する。【００２２】
本実施形態では、移動通信システムとして、ＬＴＥ方式の移動通信システムを例として説明するが、本発明は、ＬＴＥ方式の移動通信システム以外の移動通信システムにも適用可能である。【００２３】
図２に示すように、本実施形態に係る移動通信システムは、移動局００と、無線基地局装置１０とを具備している。【００２４】
本実施形態に係る移動通信システムは、無線基地局装置１０と移動局００との間で、通信を開始又は再開する前に、ランダムアクセス手順を行うように構成されている。【００２５】
図３に示すように、本実施形態に係る無線基地局装置１０は、信号送受信部１１と、信号送受信部１１と接続されているランダムアクセスプリアンブル識別子検出部１２と、ランダムアクセス識別子検出部１２と接続されている上りリソース割り当て部１３と、上りリソース割り当て部１３及び信号送受信部１１と接続されているランダムアクセス応答信号生成部１４と、信号送受信部１１と接続されている上りスクランブル解読部１６と、上りスクランブル解読部１６と接続されている上りスクランブリング系列管理部１５とを備える。【００２６】
信号送受信部１１は、移動局００によって送信された信号の受信及び移動局００に対する信号を送信するように構成されている。【００２７】
ランダムアクセスプリアンブル識別子検出部１２は、移動局００からのランダムアクセスプリアンブルの受信があったか否かについて判断し、受信があったと判断した場合は、かかるランダムアクセスプリアンブルを識別するランダムアクセスプリアンブル識別子を特定するように構成されている。【００２８】
上りリソース割り当て部１３は、移動局００によって送信されたランダムアクセスプリアンブルに応じて、移動局００に対して、上りリソースを割り当てるように構成されている。【００２９】
具体的には、上りリソース割り当て部１３は、ランダムアクセスプリアンブル識別子検出部１２によって検出された１つ又は複数のランダムアクセスプリアンブル識別子に対して、上りリソース（上り無線リソース）を割り当てるように構成されている。【００３０】
ランダムアクセス応答信号生成部１４は、上りリソース割り当て部１３によって割り当てられた上りリソースを、ランダムアクセス応答信号を用いて移動局００に対して通知するように構成されている。【００３１】
具体的には、ランダムアクセス応答信号生成部１４は、上りリソース割り当て部１３によって各ランダムアクセスプリアンブル識別子に対して割り当てられた上りリソースを含むランダムアクセス応答信号を生成するように構成されている。【００３２】
ランダムアクセス応答信号生成部１４は、移動局００に対して、上りリソースと共に、かかる上りリソースに対応する上りスクランブリング系列を通知するように構成されていてもよい。【００３３】
かかる場合、ランダムアクセス応答信号生成部１４は、上りスクランブリング系列管理部１５に接続されている。【００３４】
上りスクランブリング系列管理部１５は、移動局００が無線基地局装置１０から割り当てられた上りリソースを用いて上り信号を送信する際に使用すべき上りスクランブリング系列を管理するように構成されている。【００３５】
例えば、上りスクランブリング系列管理部１５は、上りリソース割り当て部１３に接続されており、図４に示すように、上りリソース割り当て部１１３によって割り当てられた上りリソースと、上りスクランブリング系列とを関連付けて管理するように構成されてもよい。ここで、上りリソースを特定するための情報として、上りリソース番号を用いてもよいし（図４参照）、上りリソースブロック番号を用いてもよい。【００３６】
また、上りリソース割り当て部１３が、移動局００に対して、複数の上りリソースブロックを割り当てる場合、上りスクランブリング系列管理部１５は、当該移動局００に対して割り当てた上りリソースブロック番号の最小値若しくは最大値と、上りスクランブリング系列とを関連付けて記憶するように構成されていてもよい。【００３７】
また、上りスクランブリング系列管理部１５は、ランダムアクセスプリアンブル識別子検出部１２に接続されており、図５のように、ランダムアクセスプリアンブル識別子検出部１２によって検出されたランダムアクセスプリアンブル識別子と、上りスクランブリング系列とを関連付けて管理するように構成されてもよい。【００３８】
また、上りスクランブリング系列管理部１５は、ランダムアクセス応答信号生成部１４に接続されており、図６のように、ランダムアクセス応答信号生成部１４によって生成されたランダムアクセス応答信号におけるランダムアクセスプリアンブル識別子の挿入順と、上りスクランブリング系列とを関連付けて管理するように構成されてもよい。【００３９】
また、上りスクランブリング系列管理部１５は、ランダムアクセス応答信号生成部１４に接続されており、図７に示すように、ランダムアクセス応答信号生成部１４によって生成されたランダムアクセス応答信号を示すランダムアクセス応答信号識別子と、上りスクランブリング系列とを関連付けて管理するように構成されてもよい。【００４０】
上りスクランブル解読部１６は、移動局００から上りリソースを用いて送信された上り信号に対して、かかる上りリソースに対応する上りスクランブリング系列を用いてデスクラブリング処理を行うように構成されている。【００４１】
例えば、上りスクランブル解読部１６は、上りスクランブリング系列管理部１５を参照して、かかる上りリソースに対応する上りスクランブリング系列を用いてデスクラブリング処理を行うように構成されていてもよい。【００４２】
また、上りスクランブル解読部１６は、上りスクランブリング系列管理部１５を参照して、かかる上りリソースを割り当てる契機になったランダムアクセスプリアンブルに対応する上りスクランブリング系列を用いてデスクラブリング処理を行うように構成されていてもよい。【００４３】
また、上りスクランブル解読部１６は、上りスクランブリング系列管理部１５を参照して、かかる上りリソースを通知したランダムアクセス応答信号に対応する上りスクランブリング系列を用いてデスクラブリング処理を行うように構成されていてもよい。【００４４】
上りスクランブル解読部１６は、上りスクランブリング系列管理部１５を参照して、かかる上りリソースを通知したランダムアクセス応答信号に挿入したランダムアクセスプリアンブル識別子の位置に対応する上りスクランブリング系列を用いてデスクラブリング処理を行うように構成されていてもよい。【００４５】
図８に示すように、本実施形態に係る移動局００は、信号送受信部０１と、信号送受信部０１に接続されているランダムアクセスプリアンブル識別子選択部０２と、信号送受信部０１に接続されている上りスクランブリング系列検出部０３と、上りスクランブリング系列検出部０３及び信号送受信部０１に接続されている上り信号生成部０４とを備える。【００４６】
信号送受信部０１は、無線基地局装置１０によって送信された信号の受信及び無線基地局装置１０に対する信号の送信を行うように構成されている。【００４７】
例えば、信号送受信部０１は、無線基地局装置１０から、上りリソースを通知するランダムアクセス応答信号を受信するように構成されている。また、信号送受信部０１は、無線基地局装置１０に対して、後述するランダムアクセスプリアンブルを送信するように構成されている。【００４８】
ランダムアクセスプリアンブル識別子選択部０２は、１つ又は複数のランダムアクセスプリアンブル識別子の中から、ランダムにランダムアクセスプリアンブル識別子を選択し、選択したランダムアクセスプリアンブル識別子によって識別されるランダムアクセスプリアンブルを、信号送受信部０１を介して送信するように構成されている。【００４９】
上りスクランブリング系列検出部０３は、ランダムアクセス応答信号で指定された上りリソースを用いて、移動局００が上り信号を送信する際に適用する上りスクランブリング系列を検出するように構成されている。【００５０】
例えば、上りスクランブリング系列検出部０３は、信号送受信部０１により受信されたランダムアクセス応答信号によって指示された上りスクランブリング系列を選択するように構成されていてもよい。【００５１】
かかる場合、信号送受信部０１は、ランダムアクセス応答信号に基づいて、移動局００に割り当てられた上りリソースと共に、かかる上りスクランブリング系列を取得するように構成されている。【００５２】
また、上りスクランブリング系列検出部０３は、図４に示すような対応表を保持しており、かかる対応表を参照して、無線基地局装置１０によってランダムアクセス応答信号で指示された上りリソースに対応する上りスクランブリング系列を検出するように構成されていてもよい。【００５３】
上りスクランブリング系列検出部０３は、図５に示すような対応表を保持しており、かかる対応表を参照して、上述の上りリソースの取得に用いたランダムアクセスプリアンブルに対応する上りスクランブリング系列を検出するように構成されていてもよい。【００５４】
具体的には、上りスクランブリング系列検出部０３は、ランダムアクセス応答信号に移動局００によって送信されたランダムアクセスプリアンブルを識別するランダムアクセスプリアンブル識別子が含まれていた場合は、かかる対応表を参照して、かかるランダムアクセスプリアンブル識別子に対応する上りスクランブリング系列を検出するように構成されていてもよい。【００５５】
また、上りスクランブリング系列検出部０３は、移動局００によって選択されて無線基地局装置１０に対して送信されたランダムアクセスプリアンブルを識別するランダムアクセスプリアンブル識別子が、図６のように、ランダムアクセス応答信号の何番目に入っているか（すなわち、かかる上りリソースを通知したランダムアクセス応答信号に挿入されているランダムアクセスプリアンブル識別子の位置）に基づいて、上りスクランブリング系列を検出するように構成されていてもよい。【００５６】
また、上りスクランブリング系列検出部０３は、図７に示すような対応表を保持しており、かかる対応表を参照して、上述の上りリソースを通知したランダムアクセス応答信号を識別するランダムアクセス応答信号識別子に対応する上りスクランブリング系列を検出するように構成されていてもよい。【００５７】
上り信号生成部０４は、上りスクランブリング系列検出部０３によって検出された上りスクランブリング系列を用いたスクラブリング処理を行った後、当該上りリソースを用いて上り信号を送信するように構成されている。【００５８】
（本発明の第１の実施形態に係る移動通信システムの作用・効果）
本実施形態に係る移動通信システムによれば、ランダムアクセス手順中であっても、移動局００は、上り信号に対してスクランブル処理を行った上で送信することが可能になるため、周辺セルへの上り干渉を低減することができる。【００５９】
以上に述べた本実施形態の特徴は、以下のように表現されていてもよい。【００６０】
本実施形態の第１の特徴は、無線基地局装置１０と移動局００との間で、通信を開始又は再開する前に、ランダムアクセス手順を行う移動通信方法であって、移動局００が、無線基地局装置１０に対して、複数のランダムアクセスプリアンブルの中から選択したランダムアクセスプリアンブルを送信する工程と、無線基地局装置１０が、受信したランダムアクセスリアンブルに応じて、移動局００に対して、上りリソースを割り当てる工程と、無線基地局装置１０が、割り当てた上りリソースを、ランダムアクセス応答信号を用いて移動局００に対して通知する工程と、移動局００が、ランダムアクセス応答信号によって通知された上りリソースに対応する上りスクランブリング系列を用いたスクラブリング処理を行った後、上りリソースを用いて上り信号を送信する工程と、無線基地局装置１０が、上りリソースを用いて送信された上り信号に対して、上りリソースに対応する上りスクランブリング系列を用いてデスクラブリング処理を行う工程とを有することを要旨とする。【００６１】
本実施形態の第２の特徴は、無線基地局装置１０と移動局００との間で、通信を開始又は再開する前に、ランダムアクセス手順を行う移動通信方法で用いられる無線基地局装置１０であって、移動局００によって送信されたランダムアクセスプリアンブルに応じて、移動局１０に対して、上りリソースを割り当てるように構成されている上りリソース割り当て部１３と、上りリソース割り当て部１３によって割り当てられた上りリソースを、ランダムアクセス応答信号を用いて移動局００に対して通知するように構成されているランダムアクセス応答信号送信部１１と、移動局００から上りリソースを用いて送信された上り信号に対して、上りリソースに対応する上りスクランブリング系列を用いてデスクラブリング処理を行うように構成されている上りスクランブル解読部１６とを具備することを要旨とする。【００６２】
本実施形態の第２の特徴において、ランダムアクセス応答信号送信部１１は、移動局００に対して、上りリソースと共に、上りリソースに対応する上りスクランブリング系列を通知するように構成されていてもよい。【００６３】
本実施形態の第２の特徴において、上りリソースと上りスクランブリング系列とを関連付けて記憶するように構成されている上りスクランブリング系列管理部１５を具備し、上りスクランブル解読部１６は、上りスクランブリング系列管理部１５を参照して、上りリソースに対応する上りスクランブリング系列を用いてデスクラブリング処理を行うように構成されていてもよい。【００６４】
本実施形態の第２の特徴において、ランダムアクセスプリアンブルと上りスクランブリング系列とを関連付けて記憶するように構成されている上りスクランブリング系列管理部１５を具備し、上りスクランブル解読部１６は、上りスクランブリング系列管理部１５を参照して、上りリソースを割り当てる契機になったランダムアクセスプリアンブルに対応する上りスクランブリング系列を用いてデスクラブリング処理を行うように構成されていてもよい。【００６５】
本実施形態の第２の特徴において、ランダムアクセス応答信号と上りスクランブリング系列とを関連付けて記憶するように構成されている上りスクランブリング系列管理部１５を具備し、上りスクランブル解読部１６は、上りスクランブリング系列管理部１５を参照して、上りリソースを通知したランダムアクセス応答信号に対応する上りスクランブリング系列を用いてデスクラブリング処理を行うように構成されていてもよい。【００６６】
本実施形態の第２の特徴において、ランダムアクセス応答信号におけるランダムアクセスプリアンブル識別子の挿入順と上りスクランブリング系列とを関連付けて記憶するように構成されている上りスクランブリング系列管理部１５を具備し、上りスクランブル解読部１６は、上りスクランブリング系列管理部１５を参照して、上りリソースを通知したランダムアクセス応答信号に挿入したランダムアクセスプリアンブル識別子の位置に対応する上りスクランブリング系列を用いてデスクラブリング処理を行うように構成されていてもよい。【００６７】
本実施形態の第３の特徴は、無線基地局装置１０と移動局００との間で、通信を開始又は再開する前に、ランダムアクセス手順を行う移動通信方法で用いられる移動局００であって、無線基地局装置１０に対して、選択したランダムアクセスプリアンブルを送信するように構成されているランダムアクセスプリアンブル送信部０１と、無線基地局装置１０から、上りリソースを通知するランダムアクセス応答信号を受信するように構成されているランダムアクセス応答信号受信部０１と、ランダムアクセス応答信号によって通知された上りリソースに対応する上りスクランブリング系列を用いたスクラブリング処理を行った後、上りリソースを用いて上り信号を送信するように構成されている上り信号送信部０１とを具備することを要旨とする。【００６８】
本実施形態の第３の特徴において、ランダムアクセス応答信号受信部０１は、ランダムアクセス応答信号に基づいて、上りリソースと共に、上りスクランブリング系列を取得するように構成されていてもよい。【００６９】
本実施形態の第３の特徴において、上りリソースと上りスクランブリング系列とを関連付けて記憶するように構成されている上りスクランブリング系列管理部を具備し、上り信号送信部０１は、上りスクランブリング系列管理部を参照して、無線基地局装置１０によって割り当てられた上りリソースに対応する上りスクランブリング系列を用いてスクラブリング処理を行うように構成されていてもよい。【００７０】
本実施形態の第３の特徴において、ランダムアクセスプリアンブルと上りスクランブリング系列とを関連付けて記憶するように構成されている上りスクランブリング系列管理部を具備し、上り信号送信部０１は、上りスクランブリング系列管理部を参照して、上りリソースの取得に用いたランダムアクセスプリアンブルに対応する上りスクランブリング系列を用いてスクラブリング処理を行うように構成されていてもよい。【００７１】
本実施形態の第３の特徴において、ランダムアクセス応答信号と上りスクランブリング系列とを関連付けて記憶するように構成されている上りスクランブリング系列管理部を具備し、上り信号送信部０１は、上りスクランブリング系列管理部を参照して、上りリソースを通知したランダムアクセス応答信号に対応する上りスクランブリング系列を用いてデスクラブリング処理を行うように構成されていてもよい。【００７２】
本実施形態の第３の特徴において、ランダムアクセス応答信号におけるランダムアクセスプリアンブル識別子の挿入順と上りスクランブリング系列とを関連付けて記憶するように構成されている上りスクランブリング系列管理部を具備し、上り信号送信部０１は、上りスクランブリング系列管理部を参照して、上りリソースを通知したランダムアクセス応答信号に挿入されているランダムアクセスプリアンブル識別子の位置に対応する上りスクランブリング系列を用いてデスクラブリング処理を行うように構成されていてもよい。【００７３】
本実施形態の第４の特徴は、無線基地局装置１０と移動局００との間で、通信を開始又は再開する前に、ランダムアクセス手順を行う移動通信方法であって、移動局００が、無線基地局装置１０に対して、複数のランダムアクセスプリアンブルの中から選択したランダムアクセスプリアンブルを送信する工程と、無線基地局装置１０が、受信したランダムアクセスプリアンブルに応じて、移動局００に対して、上りリソースを割り当てる工程と、無線基地局装置１０が、割り当てた上りリソースを、ランダムアクセス応答信号を用いて移動局００に対して通知する工程と、移動局００が、上りリソースを通知したランダムアクセス応答信号（例えば、ＲＡ-ｐｒｅａｍｂｌｅ識別子やタイミング調整情報や上りリソースやＴｅｍｐｏｒａｒｙ  Ｃ-ＲＮＴＩ等）に対応する上りスクランブリング系列を用いたスクラブリング処理を行った後、上りリソースを用いて上り信号を送信する工程と、無線基地局装置１０が、上りリソースを用いて送信された上り信号に対して、上りリソースを通知したランダムアクセス応答信号に対応する上りスクランブリング系列を用いてデスクラブリング処理を行う工程とを有することを要旨とする。【００７４】
本発明の第５の特徴は、無線基地局装置１０と移動局００との間で、通信を開始又は再開する前に、ランダムアクセス手順を行う移動通信方法で用いられる無線基地局装置１０であって、移動局００によって送信されたランダムアクセスプリアンブルに応じて、移動局００に対して、上りリソースを割り当てるように構成されている上りリソース割り当て部１３と、上りリソース割り当て部１３によって割り当てられた上りリソースを、ランダムアクセス応答信号を用いて移動局００に対して通知するように構成されているランダムアクセス応答信号送信部１１と、移動局００から上りリソースを用いて送信された上り信号に対して、上りリソースを通知したランダムアクセス応答信号（例えば、ＲＡ-ｐｒｅａｍｂｌｅ識別子やタイミング調整情報や上りリソースやＴｅｍｐｏｒａｒｙ  Ｃ-ＲＮＴＩ等）に対応する上りスクランブリング系列を用いてデスクラブリング処理を行うように構成されている上りスクランブル解読部１６とを具備することを要旨とする。【００７５】
本発明の第６の特徴は、無線基地局装置１０と移動局００との間で、通信を開始又は再開する前に、ランダムアクセス手順を行う移動通信方法で用いられる移動局００であって、無線基地局装置１０に対して、複数のランダムアクセスプリアンブルの中から選択したランダムアクセスプリアンブルを送信するように構成されているランダムアクセスプリアンブル送信部０１と、無線基地局装置１０から、上りリソースを通知するランダムアクセス応答信号を受信するように構成されているランダムアクセス応答信号受信部０１と、上りリソースを通知したランダムアクセス応答信号（例えば、ＲＡ-ｐｒｅａｍｂｌｅ識別子やタイミング調整情報や上りリソースやＴｅｍｐｏｒａｒｙ  Ｃ-ＲＮＴＩ等）に対応する上りスクランブリング系列を用いたスクラブリング処理を行った後、上りリソースを用いて上り信号を送信するように構成されている上り信号送信部０１とを具備することを特徴とする。【００７６】
なお、上述の移動局００及び無線基地局１０の動作は、ハードウェアによって実施されてもよいし、プロセッサによって実行されるソフトウェアモジュールによって実施されてもよいし、両者の組み合わせによって実施されてもよい。【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局００及び無線基地局１０内に設けられていてもよい。また、かかる記憶媒体及びプロセッサは、ディスクリートコンポーネントとして移動局００及び無線基地局１０内に設けられていてもよい。【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００８０】
なお、日本国特許出願第２００７−２１３１８２号（２００７年８月１７日出願）の全内容が、参照により、本願明細書に組み込まれている。
【産業上の利用可能性】
【００８１】
以上のように、本発明に係る移動通信方法、無線基地局装置及び移動局は、無線基地局装置が、移動局を特定する前であっても、移動局は、上り信号に対してスクランブル処理を施して送信することを可能とすることで、周辺セルへの上り干渉を低減することができるため、有用である。
【図１】
2009025236.tif 000003
【図２】
2009025236.tif 000004
【図３】
2009025236.tif 000005
【図４】
2009025236.tif 000006
【図５】
2009025236.tif 000007
【図６】
2009025236.tif 000008
【図７】
2009025236.tif 000009
【図８】
2009025236.tif 000010
【国際調査報告】
2009025236.tif 000011
2009025236.tif 000012